(57)【特許請求の範囲】
【請求項１】
第１のネットワークを用いて会議を行うためのネットワーク会議システムであって、
前記第１のネットワークの情報を取得する際に接続する第２のネットワークと、
前記第１のネットワークに接続された第１の情報端末装置と、
前記第１のネットワーク及び前記第２のネットワークに接続可能であり、電源投入時に前記第２のネットワークを介して送信されてきた情報受信応答を受信するまでの時間だけ前記第２のネットワークに接続し、前記第１のネットワークの情報を前記第２のネットワークを介して送信し、前記情報受信応答を受信したとき、前記第１のネットワークへ接続先を変更する接続情報送信端末装置と、
前記第２のネットワークに接続され、前記接続情報送信端末装置によって送信された前記第１のネットワークの情報を受信して登録し、前記情報受信応答を前記第２のネットワークを介して前記接続情報送信端末装置へ送信する管理用端末と、
前記管理用端末に登録された前記第１のネットワークの情報を前記第２のネットワークを介して取得し、取得された前記第１のネットワークの情報に基づいて、前記第１のネットワークに接続可能な設定を行い、前記第１のネットワークに接続する第２の情報端末装置とを有するネットワーク会議システム。
【請求項２】
第１のネットワークに接続された第１の情報端末装置と、前記第１のネットワークの情報を取得する際に接続する第２のネットワークと前記第１のネットワークとに接続可能である接続情報送信端末装置と、前記第２のネットワークに接続された管理用端末と、第２の情報端末装置とを用いて会議を行うネットワーク会議方法であって、
前記接続情報送信端末装置にて、電源投入時に前記第２のネットワークを介して送信されてきた情報受信応答を受信するまでの時間だけ前記第２のネットワークに接続する処理と、
前記接続情報送信端末装置にて、前記第１のネットワークの情報を送信する処理と、
前記管理用端末にて、前記接続情報送信端末装置から送信された前記第１のネットワークの情報を受信して登録する処理と、
前記管理用端末にて、前記第１のネットワークの情報を受信した場合、当該管理用端末から前記接続情報送信端末装置へ前記第２のネットワークを介して前記情報受信応答を送信する処理と、
前記情報受信応答を受信したとき、前記接続情報送信端末装置にて、前記第１のネットワークへ接続先を変更する処理と、
前記第２の情報端末装置にて、前記管理用端末にて登録された前記第１のネットワークの情報を前記第２のネットワークを介して取得する処理と、
前記第２の情報端末装置にて、前記取得された第１のネットワークの情報に基づいて、前記第１のネットワークに接続可能な設定を行う処理とを有するネットワーク会議方法。
【発明の詳細な説明】
【技術分野】
【０００１】
本発明は、ＬＡＮ（Local Area Network）等のネットワークを用いて会議を行うためのネットワーク会議システム及びネットワーク会議方法に関する。
【背景技術】
【０００２】
従来のネットワーク会議システムにおいては、会議が行われる会議室等に構築されたＬＡＮに、プロジェクタ等の画像表示装置及び複数のパソコン等の情報端末装置が接続され、会議の参加者によって、接続されたそれぞれの情報端末装置が操作され、所望の画像が画像表示装置に表示されることにより会議が進行されている。
【０００３】
しかしながら、これらの情報端末装置が、会議室に構築されたＬＡＮに接続されるためには、接続に必要な内容がそれぞれの情報端末装置に設定されなければならない。
【０００４】
図６は、従来のネットワーク会議システムの実施の形態の一例を示す図である。
【０００５】
図６に示したネットワーク会議システムは、会議室１０１内に、画像を表示し、無線ＬＡＮ機能を有するプロジェクタ１０２と、無線ＬＡＮ機能及び有線ＬＡＮ機能を有するアクセスポイント１０３とが無線ＬＡＮによって接続されており、また、アクセスポイント１０３と、情報端末装置である複数のＰＣ（Personal Computer）１０４−１〜１０４−ｎとが有線ＬＡＮによって接続されている。なお、プロジェクタ１０２、アクセスポイント１０３及びＰＣ１０４−１〜１０４−ｎには、会議室１０１に構築されたネットワークへ接続するための内容が予め設定されている。
【０００６】
図７は、図６に示した従来のネットワーク会議システムに、外部からＰＣが持ち込まれた形態を示す図である。
【０００７】
図７に示すように本形態は、図６に示したネットワーク会議システムが構築された会議室１０１に、外部から無線ＬＡＮ機能を有するＰＣ１０５が持ち込まれた形態となっている。ＰＣ１０５は、他の会議室での会議に使用されていた情報端末装置であり、そのため、他の会議室にて構築されたネットワークへ接続するための内容が設定されている。したがって、ＰＣ１０５を会議室１０１に構築されたネットワーク会議システムへ接続可能とするためには、ＰＣ１０５に設定されているネットワークの設定内容を変更する必要がある。変更すべきネットワークの設定内容のうち、ＩＰアドレス及びサブネットマスクの有線ＬＡＮの経路情報については、ＤＨＣＰ（Dynamic Host Configuration Protocol）サーバをネットワーク上に設け、当該ＤＨＣＰサーバが有する機能によって自動的に設定する方法が考えられている。
【０００８】
また、会議の参加者が有するスレーブとなるスレーブ情報端末装置から、プロジェクタ等の画像表示装置に接続されているマスターとなるマスター情報端末装置へ接続要求を行い、マスター情報端末装置とスレーブ情報端末装置との間においてリンクを構成し、構成されたリンクを用いてスレーブ情報端末装置からマスター情報端末装置を介して画像表示装置へ会議に使用する情報を送信し、画像表示装置にて受信された情報を表示する方法が考えられている（例えば、特許文献１参照。）。
【特許文献１】特開２００２−０６４４１８号公報
【発明の開示】
【発明が解決しようとする課題】
【０００９】
しかしながら、他の会議室から持ち込んだＰＣの設定を変更するには、ＤＨＣＰサーバを使用した場合であっても、ＩＰアドレス及びサブネットマスクのみが自動的に割り当てられるだけであって、その他の設定についてはＰＣを持ち込んだ参加者がその会議室に構築されたネットワークの設定内容を把握しておかなければならなく、且つその設定内容を手動で設定しなければならないため、そのための手間がかかってしまうという問題点がある。
【００１０】
また、特許文献１に記載された方法においても、マスター情報端末装置とスレーブ情報端末装置とが予め通信可能な状態である場合に限って、ネットワーク会議システムにおいて有効な通信方法となっており、マスター情報端末装置に接続されていないスレーブ情報端末装置を持ち込んだ場合は、それらの間にて通信を可能にするために必要な設定を手動で行わなければならないため、そのための手間がかかってしまうという問題点がある。
【００１１】
本発明は、上述したような従来の技術が有する問題点に鑑みてなされたものであって、会議の参加者が所持する情報端末装置を所望のネットワークに自動的に接続できるネットワーク会議システム及びネットワーク会議方法を提供することを目的とする。
【課題を解決するための手段】
【００１２】
第１のネットワークを用いて会議を行うためのネットワーク会議システムであって、
前記第１のネットワークの情報を取得する際に接続する第２のネットワークと、
前記第１のネットワークに接続された第１の情報端末装置と、
前記第１のネットワーク及び前記第２のネットワークに接続可能であり、電源投入時に前記第２のネットワークを介して送信されてきた情報受信応答を受信するまでの時間だけ前記第２のネットワークに接続し、前記第１のネットワークの情報を前記第２のネットワークを介して送信し、前記情報受信応答を受信したとき、前記第１のネットワークへ接続先を変更する接続情報送信端末装置と、
前記第２のネットワークに接続され、前記接続情報送信端末装置によって送信された前記第１のネットワークの情報を受信して登録し、前記情報受信応答を前記第２のネットワークを介して前記接続情報送信端末装置へ送信する管理用端末と、
前記管理用端末に登録された前記第１のネットワークの情報を前記第２のネットワークを介して取得し、取得された前記第１のネットワークの情報に基づいて、前記第１のネットワークに接続可能な設定を行い、前記第１のネットワークに接続する第２の情報端末装置とを有する。
【００１４】
また、第１のネットワークに接続された第１の情報端末装置と、前記第１のネットワークの情報を取得する際に接続する第２のネットワークと前記第１のネットワークとに接続可能である接続情報送信端末装置と、前記第２のネットワークに接続された管理用端末と、第２の情報端末装置とを用いて会議を行うネットワーク会議方法であって、
前記接続情報送信端末装置にて、電源投入時に前記第２のネットワークを介して送信されてきた情報受信応答を受信するまでの時間だけ前記第２のネットワークに接続する処理と、
前記接続情報送信端末装置にて、前記第１のネットワークの情報を送信する処理と、
前記管理用端末にて、前記接続情報送信端末装置から送信された前記第１のネットワークの情報を受信して登録する処理と、
前記管理用端末にて、前記第１のネットワークの情報を受信した場合、当該管理用端末から前記接続情報送信端末装置へ前記第２のネットワークを介して前記情報受信応答を送信する処理と、
前記情報受信応答を受信したとき、前記接続情報送信端末装置にて、前記第１のネットワークへ接続先を変更する処理と、
前記第２の情報端末装置にて、前記管理用端末にて登録された前記第１のネットワークの情報を前記第２のネットワークを介して取得する処理と、
前記第２の情報端末装置にて、前記取得された第１のネットワークの情報に基づいて、前記第１のネットワークに接続可能な設定を行う処理とを有する。
【００１６】
上記のように構成された本発明においては、会議室等に構築された第１のネットワークの情報が、接続先が第１のネットワークから第２のネットワークへ電源投入時に変更された接続情報送信端末装置によって第２のネットワークを介して管理用端末へ送信され、管理用端末にて受信された第１のネットワークの情報が登録され、管理用端末に登録された第１のネットワークの情報が第２の情報端末装置によって第２のネットワークを介して取得され、第２の情報端末装置にて取得された第１のネットワークの情報に基づいて、第１のネットワークに接続可能な設定が行われることにより第２の情報端末装置が第１のネットワークに接続され、また接続情報送信端末装置の接続先が第２のネットワークから第１のネットワークへ変更される。
【００１７】
このため、複数の会議に参加しなければならない場合であっても、第２の情報端末装置が全ての第１のネットワークの設定内容を把握したり、その都度設定を手動で変更したりする必要は無く、第１のネットワークの情報が１つの管理用端末に登録されることにより、第２の情報端末装置を当該管理用端末へ接続すれば、管理用端末に登録された第１のネットワークの情報を取得することができ、取得された情報に基づいて、第１のネットワークに接続するための設定が行われる。これにより、管理用端末への接続情報だけを把握しておけば、参加しようとする任意の会議のネットワークの設定を手動で行わなくても接続が可能となる。
【発明の効果】
【００１８】
以上説明したように本発明においては、会議室等に構築された第１のネットワークの情報を、接続先が第１のネットワークから第２のネットワークへ電源投入時に変更された接続情報送信端末装置によって第２のネットワークを介して管理用端末へ送信し、管理用端末にて受信された第１のネットワークの情報を登録し、管理用端末に登録された第１のネットワークの情報を第２の情報端末装置によって第２のネットワークを介して取得し、第２の情報端末装置にて取得された第１のネットワークの情報に基づいて、第１のネットワークに接続可能な設定を行うことにより第２の情報端末装置を第１のネットワークに接続し、また接続情報送信端末装置の接続先を第２のネットワークから第１のネットワークへ変更する構成としたため、会議の参加者が所持する情報端末装置を所望のネットワークに自動的に接続できる。
【発明を実施するための最良の形態】
【００１９】
以下に、本発明の実施の形態について図面を参照して説明する。
【００２０】
図１は、本発明のネットワーク会議システムの実施の一形態を示す図である。
【００２１】
図１に示すように本形態は、会議室１内に、画像を表示し、無線ＬＡＮ機能を有する接続情報送信端末装置として使用される画像表示装置であるプロジェクタ２と、無線ＬＡＮ機能及び有線ＬＡＮ機能を有するアクセスポイント３とが無線ＬＡＮによって接続されており、また、アクセスポイント３と、第１の情報端末装置である複数のＰＣ（Personal Computer）４−１〜４−ｎとが有線ＬＡＮ７によって接続されており、また、プロジェクタ２の設定内容を管理する管理用端末６が設けられている。なお、プロジェクタ２、アクセスポイント３及びＰＣ４−１〜４−ｎには、会議室１に構築されたネットワークへ接続するための内容が予め設定されている。なお、管理用端末６は無線ＬＡＮ機能を有し、通信モードはアドホックに予め設定されており、且つ管理用端末６のＳＳＩＤ（Service Set Identifier）は「Ａ」に予め設定されている。また、プロジェクタ２及びアクセスポイント３の通信モードはインフラストラクチャに予め設定されており、且つプロジェクタ２及びアクセスポイント３のＳＳＩＤは「Ｂ」に予め設定されている。ここで、ＳＳＩＤが「Ａ」に設定されている無線ＬＡＮを第２のネットワークとし、また、ＳＳＩＤが「Ｂ」に設定されている無線ＬＡＮ及び有線ＬＡＮ７を第１のネットワークとする。
【００２２】
図２は、図１に示した会議室１に外部から無線ＬＡＮ機能を有するＰＣが持ち込まれた一形態を示す図である。
【００２３】
図２に示すように本形態は、図１に示したネットワーク会議システムが構築された会議室１に、外部から無線ＬＡＮ機能を有する第２の情報端末装置であるＰＣ５が持ち込まれた形態となっている。ＰＣ５は、他の会議室での会議に使用されていた情報端末装置であり、そのため、他の会議室にて構築されたネットワークへ接続するための内容が設定されている。したがって、ＰＣ５を会議室１に構築されたネットワーク会議システムへ接続可能とするためには、ＰＣ５に設定されているネットワークの設定内容を変更する必要がある。また、図１及び図２に示した管理用端末６の設置場所は、会議室１内でなくても、プロジェクタ２及びＰＣ５に第１及び第２のネットワーク上で接続可能である場所であれば良い。
【００２４】
以下に、上記のように構成された形態におけるネットワーク会議方法について説明する。
【００２５】
図３は、図２に示した形態におけるネットワーク会議方法を説明するためのシーケンス図である。
【００２６】
まず、プロジェクタ２の電源が投入されると（ステップＳ１）、プロジェクタ２が管理用端末６に接続するために、「Ｂ」に予め設定されているＳＳＩＤが管理用端末６の設定値である「Ａ」に変更され（ステップＳ２）、またＩＰアドレス体系についても管理用端末６に接続可能であるものに変更され（ステップＳ３）、また通信モードがアドホックに変更される。つまり、第１のネットワークの設定から第２のネットワークの設定に変更される。ここで、ＩＰアドレス体系とは、ＩＰアドレスとサブネットマスクである。また、変更されるプロジェクタ２のＩＰアドレス体系については、管理用端末６に接続可能な規定のＩＰアドレス体系を予め定義しておき、それを使用しても良いし、管理用端末６にＤＨＣＰサーバ機能を設けておき、自動的に管理用端末６に接続可能なＩＰアドレス体系に変更されるものであっても良い。
【００２７】
次に、変更されたＳＳＩＤ及びＩＰアドレス体系にて、プロジェクタ２から管理用端末６へ接続要求が送信され（ステップＳ４）、送信された接続要求が管理用端末６にて受信される（ステップＳ５）。
【００２８】
管理用端末６にて接続要求が受信されると、管理用端末６にてプロジェクタ２へ接続要求応答が送信される（ステップＳ６）。
【００２９】
管理用端末６から送信された接続要求応答がプロジェクタ２にて受信されたかどうかによって、プロジェクタ２と管理用端末６との接続が成功したかどうかが判断される（ステップＳ７）。
【００３０】
プロジェクタ２にて接続要求応答が受信されない場合、プロジェクタ２と管理用端末６との接続が失敗したと判断され、予め設定された時間後、再度ステップＳ４の処理に戻る。
【００３１】
一方、プロジェクタ２にて接続要求応答が受信された場合、プロジェクタ２と管理用端末６との接続が成功したと判断され、プロジェクタ２に格納されている第１のネットワークの情報が管理用端末６へ送信される（ステップＳ８）。ここで、管理用端末６へ送信される第１のネットワークの情報とは、プロジェクタ２がアクセスポイント３に接続されるための情報であり、プロジェクタ２を識別するための固有のＩＤ、インフラストラクチャ等の通信モード、ＳＳＩＤ、ＤＨＣＰサーバの有無、ＩＰアドレス体系等の情報である。
【００３２】
第１のネットワークの情報が管理用端末６にて受信されると（ステップＳ９）、管理用端末６にてプロジェクタ２へ情報受信応答が送信され（ステップＳ１０）、同時に、受信された第１のネットワークの情報が管理用端末６内に設けられている管理用テーブルに登録される（ステップＳ１１）。なお、この管理用テーブルには、他のプロジェクタから送信され、管理用端末６にて受信されたネットワークの情報についても登録されている。つまり、無線ＬＡＮによって管理用端末６と接続可能に配置された他のプロジェクタを使用して会議を行っている他の会議室に構築されたネットワークの情報についても、当該管理用テーブルに登録されている。
【００３３】
そして、管理用端末６から送信された情報受信応答がプロジェクタ２にて受信されたかどうかによって、プロジェクタ２から管理用端末６への第１のネットワークの情報の送信が成功したかどうかが判断される（ステップＳ１２）。
【００３４】
プロジェクタ２にて情報受信応答が受信されない場合、プロジェクタ２から管理用端末６への第１のネットワークの情報の送信が失敗したと判断され、予め設定された時間後、再度ステップＳ４の処理に戻る。
【００３５】
一方、プロジェクタ２にて情報受信応答が受信された場合、プロジェクタ２から管理用端末６への第１のネットワークの情報の送信が成功したと判断される。すると、プロジェクタ２においてＳＳＩＤ、ＩＰアドレス体系、通信モード等のネットワークの設定が、プロジェクタ２に予め設定されている第１のネットワークの設定内容に戻される（ステップＳ１３）。
【００３６】
以上説明した処理が、プロジェクタ２が使用可能となる前処理である。
【００３７】
以下に、上述した前処理が行われた後に、ＰＣ５による接続の処理について説明する。
【００３８】
図２に示したＰＣ５が、他の会議室等から持ち込まれ、ＰＣ５に設定されているネットワークの設定内容が会議室１にて使用可能するために第２のネットワークの設定内容、つまり、ＳＳＩＤが「Ａ」に設定され、ＩＰアドレス体系についても管理用端末６に接続可能であるものに変更され（ステップＳ１４）、管理用端末６に登録されているプロジェクタについての問い合わせが管理用端末６へ行われると（ステップＳ１５）、管理用端末６にて問い合わせが受信され（ステップＳ１６）、管理用端末６内の管理用テーブルに登録されているプロジェクタの情報が管理用端末６からＰＣ５へ送信される（ステップＳ１７）。
【００３９】
ＰＣ５にて管理用端末６から送信されたプロジェクタの情報が受信され（ステップＳ１８）、ＰＣ５が使用可能なプロジェクタがプロジェクタ２である場合、受信された情報の中からプロジェクタ２が選択されると、選択されたプロジェクタ２の情報に対応した第１のネットワークの設定内容がＰＣ５に設定される（ステップＳ１９）。この設定については、少なくとも、通信モードがインフラストラクチャモードに、また、ＳＳＩＤが「Ｂ」に、また、ＩＰアドレス体系がＰＣ５とプロジェクタ２とが接続可能なＩＰアドレス体系に設定される。
【００４０】
プロジェクタ２に接続可能な設定内容である第１のネットワークの設定がＰＣ５にされると、ＰＣ５にてプロジェクタ２へ接続要求が送信され（ステップＳ２０）、接続要求がプロジェクタ２にて受信される（ステップＳ２１）。
【００４１】
接続要求が受信されたプロジェクタ２にて、ＰＣ５の接続を許可する場合、プロジェクタ２のＳＳＩＤの設定が「Ｂ」から「Ａ」に変更され（ステップＳ２２）、プロジェクタ２が使用中になる旨がプロジェクタ２から管理用端末６へ通知される（ステップＳ２３）。つまり、第２のネットワークの設定に変更される。
【００４２】
管理用端末６にて、プロジェクタ２から使用中である旨が通知されると（ステップＳ２４）、その旨が管理用端末６内の管理用テーブルに登録される（ステップＳ２５）。
【００４３】
一方、プロジェクタ２にて、プロジェクタ２が使用中になる旨が管理用端末６へ通知されると、プロジェクタ２のＳＳＩＤの設定が「Ａ」から「Ｂ」に変更され（ステップＳ２６）、ＰＣ５の接続許可がＰＣ５へ送信される（ステップＳ２７）。
【００４４】
送信された接続許可がＰＣ５にて受信されると（ステップＳ２８）、ＰＣ５とプロジェクタ２との通信が可能となる。
【００４５】
その後、ＰＣ４−１〜ＰＣ４−ｎ及びＰＣ５における操作に基づいて、プロジェクタ２によって表示される画像が制御可能となり、また、プロジェクタ２によって表示される画像がＰＣ４−１〜ＰＣ４−ｎ及びＰＣ５の画面に表示されることが可能となる。
【００４６】
このように、管理用端末６のＳＳＩＤやＩＰアドレス体系等の設定内容のみが共通で認識されてさえいれば、移動可能なＰＣ５をどこの会議室に持ち込んだ場合であっても、当該会議室内に構築されたネットワークに自動的に接続可能となる。ただし、当該会議室内に構築されたネットワークの情報が管理用端末６内の管理用テーブルに予め登録されていることが前提であることは言うまでもない。
【００４７】
なお、アクセスポイント３、または、ＰＣ４−１〜４−ｎに上述したプロジェクタ２が有する機能、すなわち、第１のネットワーク及び第２のネットワークに接続可能であり、電源投入時に第２のネットワークに接続し、第１のネットワークの情報を第２のネットワークを介して管理用端末６へ送信し、その後、接続先を第１のネットワークへ変更する機能が設けられた場合、当該機能が設けられたものが接続情報送信端末装置となっても良い。
【００４８】
また、外部から会議室１に持ち込まれるＰＣが有線ＬＡＮの機能を有しており、会議室１内に構築された有線ＬＡＮに接続される場合であっても、同様の処理が考えられる。
【００４９】
図４は、図１に示した会議室１において外部から持ち込まれたＰＣが有線ＬＡＮに接続された一形態を示す図である。
【００５０】
図４に示すように本形態は、会議室１内に、画像を表示する接続情報送信端末装置として使用される画像表示装置であるプロジェクタ８と、第１の情報端末装置である複数のＰＣ４−１〜４−ｎと、プロジェクタ８の設定内容を管理する管理用端末９とが有線ＬＡＮ７によって接続されており、そこに他の会議室等の外部から第２の情報端末装置であるＰＣ１０が持ち込まれて有線ＬＡＮ７に接続された形態となっている。ＰＣ１０は、他の会議室での会議に使用されていた情報端末装置であり、そのため、他の会議室にて構築されたネットワークへ接続するための内容が設定されている。したがって、ＰＣ１０を有線ＬＡＮ７へ接続可能とするためには、ＰＣ１０に設定されているネットワークの設定内容を変更する必要がある。
【００５１】
また、プロジェクタ８のＩＰアドレス体系等の情報は、プロジェクタ８が起動した際に管理用端末９内の管理用テーブルに登録される。具体的には、プロジェクタ８の電源起動時にプロジェクタ８の接続先の設定が管理用端末９に接続可能である第２のネットワークの設定に変更され、プロジェクタ８に予め設定されているプロジェクタ８とＰＣ４−１〜４−ｎとが接続される第１のネットワークの情報がプロジェクタ８から管理用端末９へ送信され、管理用端末９にて当該情報が取得されると、取得された情報が管理用端末９内の管理用テーブルに登録され、その後、プロジェクタ８の接続先の設定が第１のネットワークの設定に戻される。
【００５２】
ＰＣ１０が他の会議室から会議室１に持ち込まれ、プロジェクタ８に接続するための情報を取得するために、管理用端末９に接続可能な第２のネットワークの設定が行われ、管理用端末９に接続されることにより、管理用端末９の管理用テーブルに登録されている第１のネットワークの情報がＰＣ１０にて取得される。取得された第１のネットワークの情報に基づいてＰＣ１０のＩＰアドレス体系が変更され、ＰＣ１０がプロジェクタ８に接続可能となる。
【００５３】
なお、ＰＣ４−１〜４−ｎに上述したプロジェクタ８が有する機能、すなわち、第１のネットワーク及び第２のネットワークに接続可能であり、電源投入時に第２のネットワークに接続し、第１のネットワークの情報を第２のネットワークを介して管理用端末９へ送信し、その後、接続先を第１のネットワークへ変更する機能が設けられた場合、当該機能が設けられたものが接続情報送信端末装置となっても良い。
【００５４】
また、プロジェクタが管理用端末の機能を有する場合にも、同様の処理が考えられる。
【００５５】
図５は、図１に示したネットワーク会議システムにおいて管理用端末の機能を持つプロジェクタを有する一形態を示す図である。
【００５６】
図５に示すように本形態は、会議室１内に、画像を表示し、無線ＬＡＮ機能を有する接続情報管理端末装置として使用される画像表示装置であるプロジェクタ１１と、無線ＬＡＮ機能及び有線ＬＡＮ機能を有するアクセスポイント３とが無線ＬＡＮによって接続されており、また、アクセスポイント３と、第１の情報端末装置である複数のＰＣ４−１〜４−ｎとが有線ＬＡＮ７によって接続されており、そこに他の会議室等の外部から持ち込まれた無線ＬＡＮ機能を有する第２の情報端末装置であるＰＣ５が無線ＬＡＮを介してプロジェクタ１１に接続されている。さらに、プロジェクタ１１には、第１のネットワークである汎用無線ＬＡＮを介してアクセスポイント３に接続するための汎用無線ＬＡＮ処理部１２と、独立してネットワークを構築する第２のネットワークである管理用無線ＬＡＮを介してＰＣ５に接続するための管理用無線ＬＡＮ処理部１３とが設けられている。これにより、プロジェクタ１１が図２に示した管理用端末６の機能を有し、プロジェクタ１１からＰＣ５へ第１のネットワークの情報が第２のネットワークを介して送信されることとなり、ネットワーク会議システムにおける端末数の削減を図ることができる。
【００５７】
なお、アクセスポイント３、または、ＰＣ４−１〜４−ｎに管理用無線ＬＡＮ処理部１３が設けられた場合、管理用無線ＬＡＮ処理部１３が設けられたものが接続情報管理端末装置となっても良い。
【図面の簡単な説明】
【００５８】
【図１】本発明のネットワーク会議システムの実施の一形態を示す図である。
【図２】図１に示した会議室に外部から無線ＬＡＮ機能を有するＰＣが持ち込まれた一形態を示す図である。
【図３】図２に示した形態におけるネットワーク会議方法を説明するためのシーケンス図である。
【図４】図１に示した会議室において外部から持ち込まれたＰＣが有線ＬＡＮに接続された一形態を示す図である。
【図５】図１に示したネットワーク会議システムにおいて管理用端末の機能を持つプロジェクタを有する一形態を示す図である。
【図６】従来のネットワーク会議システムの実施の形態の一例を示す図である。
【図７】図６に示した従来のネットワーク会議システムに、外部からＰＣが持ち込まれた形態を示す図である。
【符号の説明】
【００５９】
１    会議室
２，８，１１    プロジェクタ
３    アクセスポイント
４−１〜４−ｎ，５，１０    ＰＣ
６，９    管理用端末
７    有線ＬＡＮ
１２    汎用無線ＬＡＮ処理部
１３    管理用無線ＬＡＮ処理部
【図１】
0004472590.tif 000002
【図２】
0004472590.tif 000003
【図３】
0004472590.tif 000004
【図４】
0004472590.tif 000005
【図５】
0004472590.tif 000006
【図６】
0004472590.tif 000007
【図７】
0004472590.tif 000008